(57)【要約】  【課題】開封口の全長に亘りミシン目を形成しながらも運搬時における破れを無くし、包装袋を開封し易くするとともに、保管時の見た目も良好とする。  【解決手段】複数個のロールペーパー５，５…を収容するための包装袋１において、前記包装袋１の上面を跨いで、両端部をそれぞれ包装袋１の対向する側面２Ｃ、２Ｄに接合した持手部３を設け、かつ前記包装袋１の上面２Ａに開封用ミシン目４を設けるか、少なくとも前記持手部３の接合位置Ｐ、Ｐより上方側の側面に開封用ミシン目４を周方向に沿って設けるようにする。【選択図】図１
2005153959.tif 000002
【特許請求の範囲】
【請求項１】
複数個のロール状衛生薄葉紙、又は箱入り衛生薄葉紙を収容するための包装袋において、
前記包装袋の上面を跨いで、両端部をそれぞれ包装袋の対向する側面に接合した持手部が設けられるとともに、前記包装袋の上面に開封用ミシン目が設けられていることを特徴とする衛生薄葉紙の包装袋。
【請求項２】
複数個のロール状衛生薄葉紙、又は箱入り衛生薄葉紙を収容するための包装袋において、
前記包装袋の上面を跨いで、両端部をそれぞれ包装袋の対向する側面に接合して取り付けられた持手部が設けられるとともに、少なくとも前記持手部の接合位置より上方側の側面に開封用ミシン目が周方向に沿って設けられていることを特徴とする衛生薄葉紙の包装袋。
【請求項３】
前記包装袋の上下端面は、外方に突出した包装袋のフラップ部分を順に折り畳んだキャラメル包装により封止されている請求項１〜２いずれかに記載の衛生薄葉紙の包装袋。
【請求項４】
前記開封用ミシン目は、所定距離だけ離間し平行的に形成された２本のミシン目を一組としたミシン目である請求項１〜３いずれかに記載の衛生薄葉紙の包装袋。
【請求項５】
前記２本のミシン目で画成される帯状部分の一端が摘み部となっている請求項４記載の衛生薄葉紙の包装袋。
【請求項６】
前記一組の開封用ミシン目の幅は、３〜２０mmの範囲とされる請求項４，５いずれかに記載の衛生薄葉紙の包装袋。
【請求項７】
前記持手部は、３．６kg荷重時の伸び率が０〜７０％であるテープ状素材を用いている請求項１〜６いずれかに記載の衛生薄葉紙の包装袋。
【発明の詳細な説明】
【技術分野】
【０００１】
本発明は、トイレットペーパーロール、キッチンペーパーロール等のロール状衛生薄葉紙又は箱入り衛生薄葉紙の薄葉紙を収容するための包装袋に係り、詳しくは開封を容易にした衛生薄葉紙包装袋に関する。
【背景技術】
【０００２】
トイレットペーパーロール等のロール状衛生薄葉紙は、一般的に複数個を一纏めにして消費者に対して販売されることが多い。この場合、前記ロール状薄葉紙を複数個ずつ積み重ねて、これをプラスチックフィルムからなる包装袋内に収容して販売しているのが一般的である。
【０００３】
例えば図５に示されるように、前記トイレットペーパーロールの包装形態としては、４個／段を３段重ねとした１ダース分のトイレットペーパーロールをプラスチックフィルムからなる包装袋内に収容するとともに、持ち運びに便利なように上面側には、トイレットペーパーロールの上面より上側に突出させてある包装袋の上部フラップの内、対向する２面のフラップ部分を重ね合わせ、このフラップ部分に２つの指掛け用孔３１ａを形成した持手部３１を設けるようにしている。また、下記特許文献１では特に、前記持手部３１の中央部に、縦方向に延びる開封用ミシン目３２を形成するようにし、開封時に前記開封ミシン目３２を縦方向に引き裂いて、中身のトイレットペーパーロール３３を容易に取り出しできるようにしている。
【特許文献１】実用新案登録第３０１６７１５号公報
【発明の開示】
【発明が解決しようとする課題】
【０００４】
前記特許文献１の発明においては、従来のように単に持手部３１のみを形成した包装袋の場合には、引き裂く箇所が特定されていないため、引き裂き始めると大きな力が必要となる。また、包装袋が伸びて引き裂く箇所が曲がり綺麗に裂くことができない、包装袋に開封用ミシン目を入れた場合には運搬中にミシン目から裂ける虞があるため包装袋のフィルム厚を厚くしなければならず、コスト増となるなどの問題点に鑑み、前記持手部３１に縦方向に沿う開封用ミシン目３２を形成するようにしたものであるが、確かに持手部にミシン目を形成したことによって運搬中に破れることはなくなるが、包装袋３０の上面を破かないとトイレットペーパーロール３３を取り出すことができず、依然として取り出し難い問題があるとともに、包装袋上面の引裂部分にフィルム素材の伸びが生じるため保管時の見た目も良くないものとなっていた。
【０００５】
そこで、本発明の主たる課題は、開封口の全長に亘りミシン目を形成しながらも運搬時における破れを無くし、包装袋を開封し易くするとともに、保管時の見た目も良好とした衛生薄葉紙の包装袋を提供することにある。
【課題を解決するための手段】
【０００６】
前記課題を解決するために請求項１に係る本発明として、複数個のロール状衛生薄葉紙、又は箱入り衛生薄葉紙を収容するための包装袋において、
前記包装袋の上面を跨いで、両端部をそれぞれ包装袋の対向する側面に接合した持手部が設けられるとともに、前記包装袋の上面に開封用ミシン目が設けられていることを特徴とする衛生薄葉紙の包装袋が提供される。
【０００７】
請求項２に係る本発明として、複数個のロール状衛生薄葉紙、又は箱入り衛生薄葉紙を収容するための包装袋において、
【０００８】
前記包装袋の上面を跨いで、両端部をそれぞれ包装袋の対向する側面に接合して取り付けられた持手部が設けられるとともに、少なくとも前記持手部の接合位置より上方側の側面に開封用ミシン目が周方向に沿って設けられていることを特徴とする衛生薄葉紙の包装袋が提供される。
【０００９】
請求項３に係る本発明として、前記包装袋の上下端面は、外方に突出した包装袋のフラップ部分を順に折り畳んだキャラメル包装により封止されている請求項１〜２いずれかに記載の衛生薄葉紙の包装袋が提供される。
【００１０】
請求項４に係る本発明として、前記開封用ミシン目は、所定距離だけ離間し平行的に形成された２本のミシン目を一組としたミシン目である請求項１〜３いずれかに記載の衛生薄葉紙の包装袋が提供される。
【００１１】
請求項５に係る本発明として、前記２本のミシン目で画成される帯状部分の一端が摘み部となっている請求項４記載の衛生薄葉紙の包装袋が提供される。
【００１２】
請求項６に係る本発明として、前記一組の開封用ミシン目の幅は、３〜２０mmの範囲とされる請求項４，５いずれかに記載の衛生薄葉紙の包装袋が提供される。
【００１３】
請求項７に係る本発明として、前記持手部は、３．６kg荷重時の伸び率が０〜７０％であるテープ状素材を用いている請求項１〜６いずれかに記載の衛生薄葉紙の包装袋が提供される。
【発明の効果】
【００１４】
上記請求項１記載の本発明においては、包装袋の上面を跨いで、両端部をそれぞれ包装袋の対向する側面に接合した持手部を設け、かつ前記包装袋の上面に開封用ミシン目を設けるようにした。従って、前記持手部を手で掴み、衛生薄葉紙が収容された包装袋を持ち上げても、前記開封用ミシン目には応力が掛からず破れることはなくなる。取出しに際しては、包装袋の上面に形成されたミシン目に沿って引き裂けば良く、容易に開封が行えるようになる。また、引き裂きはすべてミシン目に沿って行われるため、保管時の見た目も良好となる。
【００１５】
上記請求項２記載の本発明においては、包装袋の上面を跨いで、両端部をそれぞれ包装袋の対向する側面に接合した持手部を設け、かつ少なくとも前記持手部の接合位置より上方側の側面に開封用ミシン目を周方向に沿って設けるようにした。従って、衛生薄葉紙が収容された包装袋を持ち上げても、前記開封用ミシン目には応力が掛からず破れることはなくなる。取出しに際しては、包装袋の側面に周方向に沿って形成されたミシン目に沿って引き裂けば良く、容易に開封が行えるようになる。また、引き裂きはすべてミシン目に沿って行われるため保管時の見た目も良好となる。
【００１６】
上記請求項３記載の本発明においては、包装袋の上下端面は、外方に突出した包装袋のフラップ部分を順に折り畳んだキャラメル包装により封止された構造としている。製造工程において、前記包装袋の上面及び下面の封止手間を省力化でき、包装袋内に衛生薄葉紙が収容された家庭衛生用紙製品を効率良く製造できるようになる。
【００１７】
上記請求項４記載の本発明においては、開封用ミシン目を所定距離だけ離間し平行的に形成された２本のミシン目を一組としたミシン目とした。従って、前記２本のミシン目で画成される帯状部分の一端から該帯状部分を引き剥がすようにして容易に開封できるようになる。
【００１８】
上記請求項５記載の本発明においては、前記２本のミシン目で画成される帯状部分の一端が摘み部となっているため、前記摘み部を摘んで開封用ミシン目方向に引っ張るだけで包装袋の開封が簡単にできるようになる。
【００１９】
上記請求項６記載の本発明においては、所定距離だけ離間し平行的に形成された２本のミシン目の幅を３〜２０mmの範囲とするため、引き裂きの途中で引きちぎれることもなく、良好に開封が行えるようになる。
【００２０】
上記請求項７記載の本発明においては、前記持手部として、３．６kg荷重時の伸び率が０〜７０％、好ましくは０〜５０％であるテープ状素材を用いている。従って、前記持手部を手で掴んだ運搬状態で、衛生薄葉紙が収容された包装袋がほど良い感じで安定するようになる。
【発明を実施するための最良の形態】
【００２１】
以下、本発明の実施の形態について図面を参照しながら詳述する。
図１は本発明に係るロール状衛生薄葉紙の包装袋１の斜視図であり、図２はその平面図である。
【００２２】
図１に示されるように、例えば３段づつ積み重ねられた計１２個のトイレットペーパーロール、キッチンペーパーロール等のロール状衛生薄葉紙（以下、ロールペーパーという。）５，５…は、プラスチックフィルムからなる包装袋１によって一纏めに収容された状態で販売に供されている。
【００２３】
前記包装袋１の上部には、上面２Ａを跨いで、両端部をそれぞれ包装袋１の対向する側面２Ｃ、２Ｄに接合した持手部３が設けられるとともに、前記包装袋１の上面には矩形状に開封用ミシン目４が設けられている。
【００２４】
前記包装袋１は、ポリエチレン又はポリプロピレンなどからなる透明若しくは半透明なフィルムが好適に使用され、その厚みは一般に３５μｍ程度とされる。
【００２５】
包装は、先ず一枚のプラスチックフィルムの側縁部同士をシール接合することにより円筒形に成形した後、例えば上面側の開口を先ず、突出したフラップ部分を順に折り畳むキャラメル包装により封止する一方、底面２Ｂ側を開口としておき、この底面２Ｂの開口からロールペーパー５，５…を収容した後、この底面２Ｂの開口を、同じく外方に突出したフラップ部分を順に折り畳むキャラメル包装により封止するようにする。フラップ部分の接合は接着剤又は熱シールによって行うことができる。なお、前記「キャラメル包装」は、タバコの包装袋のように、本体端面よりも外方に突出させるようにフィルムの余長部分を取り、この余長フラップ部分を順に折り畳んで封止する封止形態を言い、包装の分野で常用されているものである。かかるキャラメル包装とすることにより、前記包装袋１の上面２Ａ及び底面２Ｂの封止手間が省力化されるようになり、製品化する工程がより効率的となる。
【００２６】
この際、前記包装用プラスチックフィルムは、製造時のライン方向の引裂強度が相対的に弱いため、包装袋の上下方向が製造ライン方向となるように包装袋シートを配向するのが望ましい。
【００２７】
前記包装袋１の上部に設けられた持手部３は、運搬する場合の便宜に供するものであるが、本包装袋１では、持手部３を構成するテープ状素材の両端部をそれぞれ包装袋１の対向する側面２Ｃ、２Ｄに接合して取り付けるようにしている。従って、運搬時には前記持手部３の接合部Ｐ、Ｐが支持点となって持ち上げられ、自重による引張荷重は前記接合部Ｐ、Ｐよりも下側包装袋部分に作用するようになるため、包装袋１の上面２Ａには引張応力が作用することはない。従って、包装袋１の上面２Ａに形成した開封用ミシン目４が運搬時に破れることがなくなる。また、上記持手部の構成により、開封後も持手部３を持って包装袋１を運搬することもできるようになる。なお、前記持手部３は、もちろん包装袋１の側面２Ｅ、２Ｆ間に架け渡すようにしてもよい。
【００２８】
前記持手部３は、３．６kgの荷重時の伸び率が０〜７０％、好ましくは０〜５０％であるテープ状素材とするのが望ましい。前記伸び率が７０％を超えると、持手部３から離れて包装袋１がぶら下がるようになり運搬しづらくなる。また、前記持手部３としては、包装袋１同様にポリエチレン、ポリプロピレン等を材質としたフィルムが好適に使用されるが、引張り応力に対して所要の耐破断性を有する厚手のものを使用するのが望ましい。
【００２９】
ところで、本形態例では、開封後はロールペーパー５を取り出し易いように前記包装袋１の上面に大きな開口を形成するため、上面の大部分に亘る矩形状に開封用ミシン目４を形成するようにしたが、開封用ミシン目４は、四隅を円弧状とした擬似矩形状、或いは直線状に形成しても良いし、十字状に形成してもよい。更には、図３に示されるように、少なくとも前記持手部３の接合位置Ｐ、Ｐより上方側の側面に周方向に沿って設けるようにしてもよい。
【００３０】
ところで、前記開封用ミシン目４は、図１の例のように１本の線状に形成してもよいが、図４に示されるように、所定距離だけ離間し平行的に形成された２本のミシン目４ａ、４ｂを一組とするものであってもよい。この場合は、前記２本のミシン目４ａ、４ｂで画成される帯状部分の一端が摘み部４ｃとなっていることが望ましい。包装袋１の開封に当たっては、前記摘み部４ｃを摘んで引裂方向に引っ張ることによって上面２Ａ部分をそのまま取り除くことが可能となる。
【００３１】
前記一組の開封用ミシン目４ａ，４ｂの幅ｗは、３〜２０mmとするのが望ましい。この幅ｗが３mm未満であると、ミシン目４ａ、４ｂを切断線とする帯状部分の引張強度が小さいため開封時に途中でちぎれる可能性がある。前記幅ｗが２０mmを超えると、前記ミシン目４ａ、４ｂで引き裂き難くなる。
〔他の形態例〕
(1)上記形態例では、包装袋１内に、３段づつ積み重ねられた計１２個のロールペーパー５，５…を収容するようにしたが、ロールペーパー５は、複数個／段を２段、３段、又はそれ以上の段数で積み重ねて配置して収容してもよく、積み重ねずに１段配置の状態で収容するようにしてもよい。
(2)また、より多くのロールペーパー５を収容せしめるために各ロールペーパー５を扁平楕円状に圧縮して包装袋１内に収容してもよい。
(3)上記形態例では複数のロール状衛生薄葉紙の収容する包装袋に付いて述べたが、複数の箱入り衛生薄葉紙の場合も同様である。
【図面の簡単な説明】
【００３２】
【図１】本発明に係るロール状衛生薄葉紙の包装袋１の斜視図である。
【図２】図１の平面図である。
【図３】図１の上半部の側面図である。
【図４】開封用ミシン目の他例を示す包装袋１の斜視図である。
【図５】従来例に係るロール状衛生薄葉紙の包装袋３０の斜視図である。
【符号の説明】
【００３３】
１…包装袋、２Ａ…（前記包装袋の）上面、２Ｂ…（同）底面、２Ｃ〜２Ｆ…（同）側面、３…持手部、４…開封用ミシン目、４ａ・４ｂ…ミシン目、４ｃ…摘み部、５…ロール状衛生薄葉紙（ロールペーパー）
【図１】
2005153959.tif 000003
【図２】
2005153959.tif 000004
【図３】
2005153959.tif 000005
【図４】
2005153959.tif 000006
【図５】
2005153959.tif 000007